(57)【要約】【課題】複数の端末装置に同一の表示条件で参照情報を表示させる表示制御システム及びプログラムを提供する【解決手段】端末装置１１Ａで表示条件が変更される（Ｓ１）と、設定部１５ｂはその変更を検出し、表示条件送受信部１５ｄは他の端末装置１１Ｂ、１１Ｃに変更後の表示条件を送信する（Ｓ２）。他の端末装置１１Ｂ、１１Ｃの表示条件送受信部１５ｄは変更後の表示条件を受信し、設定部１５ｂは、端末装置１１Ｂ、１１Ｃの表示条件を端末装置１１Ａに同一となるよう更新する（Ｓ３）。【選択図】図４
2007122648.tif 000002
【特許請求の範囲】
【請求項１】
複数の端末装置と、前記複数の端末装置の表示画面に表示する参照情報が格納された参照情報サーバ装置と、がネットワークに接続された表示制御システムであって、
前記参照情報サーバ装置は、
前記参照情報を格納する格納手段と、
前記参照情報を前記端末装置に送信する参照情報送信手段と、を備え、
前記端末装置は、
前記参照情報を受信する参照情報受信手段と、
前記表示画面の表示条件を設定する設定手段と、
前記表示条件に基づいて前記参照情報を画面上に表示する表示手段と、
前記設定された表示条件を他の端末装置との間で送受信する表示条件送受信手段と、を備え、
前記複数の端末装置のうちの一の端末装置において前記設定された表示条件が変更されると、前記一の端末装置は変更された表示条件を他の端末装置に対して送信し、
前記他の端末装置の表示手段は、受信した前記変更後の表示条件に基づいて前記画面を更新する、
ことを特徴とする表示制御システム。
【請求項２】
複数の端末装置と、前記複数の端末装置の表示画面に同一の表示条件に基づいて参照情報を表示させるための表示制御サーバ装置と、がネットワークに接続された表示制御システムであって、
前記端末装置は、
前記表示制御サーバ装置から前記表示条件を受信する表示条件受信手段と、
前記表示条件に基づいて参照情報を画面上に表示する表示手段と、
前記表示条件の変更要求情報を前記表示制御サーバ装置に対して送信する変更要求送信手段と、を備え、
前記表示制御サーバ装置は、
前記表示条件を設定する設定手段と、
前記端末装置からの前記変更要求情報を受信する変更要求受信手段と、
前記表示条件を前記端末装置に対して送信する表示条件送信手段と、を備え、
前記表示制御サーバ装置は、前記端末装置から前記変更要求情報を受信すると、受信した前記変更要求情報に基づいて前記表示条件を変更し、該変更後の表示条件を前記端末装置に対して送信し、前記端末装置の表示手段は、受信した前記変更後の表示条件に基づいて画面を更新する、
ことを特徴とする表示制御システム。
【請求項３】
前記参照情報は、医療情報であって、
前記医療情報は、患者を識別するための患者識別情報と関連づけて格納され、
前記設定手段は、表示条件として前記患者識別情報を設定し、
前記表示手段は、前記設定された患者識別情報に関連づけられた任意の医療情報を表示する、
ことを特徴とする請求項１又は２に記載の表示制御システム。
【請求項４】
前記ネットワークには、前記複数の端末装置を操作して前記医療情報に基づく医療カンファレンスを行う参加者を認証するための認証サーバ装置が更に接続され、
前記端末装置は、前記参加者を識別するための参加者識別情報を入力する入力手段と、
前記参加者識別情報を前記認証サーバ装置に送信し、前記認証サーバ装置による認証結果を受信する認証手段と、を備える、
ことを特徴とする請求項３に記載の表示制御システム。
【請求項５】
前記複数の端末装置は、それぞれ異なる施設に設置され、
前記患者識別情報は、同一患者に対して前記施設毎に異なる患者識別情報が付与され、
前記参照情報サーバ装置は、その参照情報サーバ装置が設置された施設において付与された前記患者識別情報と前記医療情報とを関連づけて格納し、
他の施設に設置された前記端末装置から受信した患者識別情報を、受信した前記端末装置又は参照情報サーバ装置が設置された施設において付与された患者識別情報に変換するための変換手段を更に備える、
ことを特徴する請求項３又は４に記載の表示制御システム。
【請求項６】
前記設定された表示条件が変更された場合に、変更後の表示条件に基づいて前記画面が更新されることを禁止する更新禁止手段を、更に備える、
ことを特徴とする請求項１乃至５のいずれか一つに記載の表示制御システム。
【請求項７】
複数の端末装置と、それらの端末装置の画面に表示する医療情報を格納した医療情報サーバ装置と、がネットワークを介して接続され、前記複数の端末装置に同一の表示条件で前記医療情報を表示させるための表示制御プログラムであって、
前記表示条件を設定するステップと、
前記医療情報サーバ装置から前記医療情報を取得するステップと、
前記医療情報を前記表示条件に基づいて画面に表示するステップと、
前記設定された表示条件を変更するステップと、
前記変更後の表示条件を他の端末装置との間で送受信するステップと、
前記他の端末装置から受信した前記変更後の表示条件に基づいて前記画面を更新するステップと、
をコンピュータに実行させることを特徴とする表示制御プログラム。
【発明の詳細な説明】
【技術分野】
【０００１】
本発明は、表示制御システム及びプログラムに係り、特に、複数の端末装置に同一の表示条件で参照情報を表示させる表示制御システム及びプログラムに関する。
【背景技術】
【０００２】
医療情報システムは、医療情報、検査情報、画像情報など様々な情報を管理及び医療従業者への提供を行なっている。医療従業者はそれらの情報を関連付けて診断し、治療や処置の対応方法を検討し実施する。また最近では専門医の存在や患者の移動を考慮し、遠隔地における医療やカンファレンスが広がりつつある。そのため、医療支援のための医療情報システムのニーズが高まっている。
【０００３】
従来の医療情報システムは、情報の一元管理、あるいはシステム間の情報移動を前提にしている（特許文献１参照）。しかし、情報の一元管理では、システムの結合度向上や資源の有効活用や患者や検査の情報の更新タイミングなどの問題がある。また、システム間の情報移動では、情報伝送のための規格の標準化の問題がある。これに対応するために、複数のサーバ装置からの情報を一貫性を保ちながら端末装置の画面上に展開するための規格として医療情報標準規格ＨＬ７/ＣＣＯＷが開発されている。
【特許文献１】特開２００５−７８１８３号公報
【発明の開示】
【発明が解決しようとする課題】
【０００４】
上記の医療情報システムの医療情報を参照して行われる医療カンファレンスでは、医療カンファレンス参加者の使用する複数の端末装置において参照される医療情報を同一の表示条件で表示する必要がある。例えば、参照する画像や検査情報などは同一患者の情報であることが保証されなければ、誤診を招く原因ともなる。
【０００５】
本発明は、このような事情を鑑みてなされたものであり、複数の端末装置に同一の表示条件で参照情報を表示させる表示制御システム及びプログラムを提供することを目的とする。
【課題を解決するための手段】
【０００６】
上記の目的を達成するため、本発明にかかる表示制御システムは、複数の端末装置と、前記複数の端末装置の表示画面に表示する参照情報が格納された参照情報サーバ装置と、がネットワークに接続された表示制御システムであって、前記参照情報サーバ装置は、前記参照情報を格納する格納手段と、前記参照情報を前記端末装置に送信する参照情報送信手段と、を備え、前記端末装置は、前記参照情報を受信する参照情報受信手段と、前記表示画面の表示条件を設定する設定手段と、前記表示条件に基づいて前記参照情報を画面上に表示する表示手段と、前記設定された表示条件を他の端末装置との間で送受信する表示条件送受信手段と、を備え、前記複数の端末装置のうちの一の端末装置において前記設定された表示条件が変更されると、前記一の端末装置は変更された表示条件を他の端末装置に対して送信し、前記他の端末装置の表示手段は、受信した前記変更後の表示条件に基づいて前記画面を更新する、ことを特徴とする。
【０００７】
また、本発明にかかる表示制御システムは、複数の端末装置と、前記複数の端末装置の表示画面に同一の表示条件に基づいて参照情報を表示させるための表示制御サーバ装置と、がネットワークに接続された表示制御システムであって、前記端末装置は、前記表示制御サーバ装置から前記表示条件を受信する表示条件受信手段と、前記表示条件に基づいて参照情報を画面上に表示する表示手段と、前記表示条件の変更要求情報を前記表示制御サーバ装置に対して送信する変更要求送信手段と、を備え、前記表示制御サーバ装置は、前記表示条件を設定する設定手段と、前記端末装置からの前記変更要求情報を受信する変更要求受信手段と、前記表示条件を前記端末装置に対して送信する表示条件送信手段と、を備え、前記表示制御サーバ装置は、前記端末装置から前記変更要求情報を受信すると、受信した前記変更要求情報に基づいて前記表示条件を変更し、該変更後の表示条件を前記端末装置に対して送信し、前記端末装置の表示手段は、受信した前記変更後の表示条件に基づいて画面を更新する、ことを特徴とする。
【０００８】
なお、ここでいう「変更要求情報」には、初期設定における表示条件の設定要求を含む。
【０００９】
また、前記参照情報は、医療情報であって、前記医療情報は、患者を識別するための患者識別情報と関連づけて格納され、前記設定手段は、表示条件として前記患者識別情報を設定し、前記表示手段は、前記設定された患者識別情報に関連づけられた任意の医療情報を表示してもよい。
【００１０】
また、前記ネットワークには、前記複数の端末装置を操作して前記医療情報に基づく医療カンファレンスを行う参加者を認証するための認証サーバ装置が更に接続され、前記端末装置は、前記参加者を識別するための参加者識別情報を入力する入力手段と、前記参加者識別情報を前記認証サーバ装置に送信し、前記認証サーバ装置による認証結果を受信する認証手段と、を備えてもよい。
【００１１】
また、前記複数の端末装置は、それぞれ異なる施設に設置され、前記患者識別情報は、同一患者に対して前記施設毎に異なる患者識別情報が付与され、前記参照情報サーバ装置は、その参照情報サーバ装置が設置された施設において付与された前記患者識別情報と前記医療情報とを関連づけて格納し、他の施設に設置された前記端末装置から受信した患者識別情報を、受信した前記端末装置又は参照情報サーバ装置が設置された施設において付与された患者識別情報に変換するための変換手段を更に備えてもよい。
【００１２】
なお、ここでいう「異なる施設」とは、同一病院内における異なる診療科を含み、「同一患者に対して前記施設毎に異なる患者識別情報が付与される」とは、同一患者に対して診療科毎に異なる患者識別情報が付与される場合を含む。
【００１３】
また、前記設定された表示条件が変更された場合に、変更後の表示条件に基づいて前記画面が更新されることを禁止する更新禁止手段を、更に備えてもよい。
【００１４】
また、本発明にかかる表示制御プログラムは、複数の端末装置と、それらの端末装置の画面に表示する医療情報を格納した医療情報サーバ装置と、がネットワークを介して接続され、前記複数の端末装置に同一の表示条件で前記医療情報を表示させるための表示制御プログラムであって、前記表示条件を設定するステップと、前記医療情報サーバ装置から前記医療情報を取得するステップと、前記医療情報を前記表示条件に基づいて画面に表示するステップと、前記設定された表示条件を変更するステップと、前記変更後の表示条件を他の端末装置との間で送受信するステップと、前記他の端末装置から受信した前記変更後の表示条件に基づいて前記画面を更新するステップと、をコンピュータに実行させることを特徴とする。
【発明の効果】
【００１５】
本発明によれば、複数の端末装置のうちの一の端末装置において設定された表示条件が変更されると、一の端末装置は変更された表示条件を他の端末装置に対して送信し、他の端末装置の表示手段は、受信した変更後の表示条件に基づいて画面を更新する。そのため、複数の端末装置に同一の表示条件で参照情報を表示させる表示制御システム及びプログラムを提供することができる。
【発明を実施するための最良の形態】
【００１６】
以下、添付図面に従って、本発明に係わる表示制御システム及びプログラムの好ましい実施の形態について詳説する。なお、以下では、本発明を医療カンファレンスシステムに適用した場合について説明する。また、端末装置に表示される参照情報は医療カンファレンスに用いられる医療情報である。
【００１７】
〔システム構成〕
図１乃至図２に基づいて、本発明に係る医療カンファレンスシステム１０（以下、カンファレンスシステム１０という。）の構成を説明する。図１はカンファレンスシステム１０の構成を示す概念図である。図２は、カンファレンスシステム１０の構成を示すブロック図である。以下の図において、同一の機能を有するものについては同符号を付す。
【００１８】
カンファレンスシステム１０は、病院Ａ、Ｂ、Ｃに備えられ医療情報を表示する端末装置１１Ａ、１１Ｂ、１１Ｃと、データセンター１４に備えられ端末装置１１Ａ、１１Ｂ、１１Ｃに送信される医療情報を格納する医療情報サーバ装置１２と、を備える。端末装置１１Ａ、１１Ｂ、１１Ｃと医療情報サーバ装置１２とは、広域ネットワーク１３を介して接続される。
【００１９】
端末装置１１Ａ、１１Ｂ、１１Ｃは、コンテキストマネージャ（Distributed Context Manager、以下、「ＤＣＭ」という）１５Ａ、１５Ｂ、１５Ｃをそれぞれ備える。ＤＣＭ１５Ａ、１５Ｂ、１５Ｃは、端末装置１１Ａ、１１Ｂ、１１Ｃの表示条件を同期させる処理を行う。
【００２０】
医療情報サーバ装置１２はサーバサイド制御装置（Server side Context Manager、以下、「ＳＣＭ」という）１６を備える。ＳＣＭ１６とＤＣＭ１５Ａ、１５Ｂ、１５Ｃとは、対話的に処理を行なう。端末装置１１Ａ、１１Ｂ、１１Ｃが医療情報サーバ装置１２に対し、医療情報として例えば医療画像の検索を行なう際に、ＳＣＭ１６はその検索要求を受け付ける。ＳＣＭ１６は自身の管理する医療情報サーバ装置１２から該当する医療画像を検索し、端末装置１１Ａ、１１Ｂ、１１Ｃの要求に応じた医療画像などの医療情報を送信する。
【００２１】
医療情報サーバ装置１２は、具体的には、電子カルテサーバ、レポートサーバ、画像サーバなどである。また、医療情報サーバ装置１２はデータセンター１４に備えられるほか、病院Ａ、Ｂ、Ｃ毎に備えられてもよい。
【００２２】
認証サーバ装置１７は、第三実施形態において必須の構成要素であり、医療カンファレンスの参加者を認証してカンファレンスシステム１０へのアクセスを制御する。
【００２３】
次に図３に基づいて、端末装置１１Ａ、１１Ｂ、１１Ｃ及び医療情報サーバ装置１２が実行するプログラムについて説明する。
【００２４】
図３（ａ）は、端末装置１１Ａ、Ｂ、Ｃが実行するプログラムであるＤＣＭ１５Ａ、１５Ｂ、１５Ｃの構成を示すブロック図である。以下では、例として、ＤＣＭ１５Ａについて説明する。ＤＣＭ１５Ａは、医療情報を医療情報サーバ装置１２から受信する医療情報受信部１５ａと、端末装置１１Ａの画面の表示条件を設定する設定部１５ｂと、表示条件に基づいて医療情報を画面上に表示する表示部１５ｃと、設定された表示条件を他の端末装置１１Ｂ、１１Ｃとの間で送受信する表示条件送受信部１５ｄと、医療カンファレンス参加者を識別するための参加者識別情報を入力する入力部１５ｅと、参加者識別情報を認証サーバ装置１７に送信し、認証サーバ装置１７による認証結果を受信する認証部１５ｆと、設定された表示条件が変更された場合に変更後の表示条件に基づいて画面が更新されることを禁止する更新禁止部１５ｇと、から構成される。
【００２５】
ここで、入力部１５ｅと認証部１５ｆとは、第三実施形態において必須の構成要素である。また、更新禁止部１５ｇは第４実施形態において必須の構成要素である。これらのプログラムは、端末装置１１Ａ、Ｂ、Ｃの図示しないＨＤＤに格納され、ＣＰＵにより適宜メモリにロードされて実行される。
【００２６】
図３（ｂ）は、医療情報サーバ装置１２が実行するプログラムであるＳＣＭ１６の構成を示すブロック図である。ＳＣＭ１６は、医療情報を医療情報データベース１２ａに格納する格納部１６ａと、端末装置１１Ａ、１１Ｂ、１１Ｃからの要求に応じて医療情報を医療情報データベース１２ａから抽出し、抽出した医療情報を端末装置１１Ａ、１１Ｂ、１１Ｃに送信する医療情報送信部１６ｂとから構成される。
【００２７】
＜第一実施形態＞
本実施形態は、端末装置１１Ａ、１１Ｂ、１１Ｃに、同一患者の同一の医療情報を表示させる実施形態である。
【００２８】
まず、医療カンファレンスの参加者は、医療カンファレンスの開始時にカンファレンスシステム１０へログインする。例えば病院Ａ、Ｂ、Ｃが１つのグループを構成し、病院Ｂ〜Ｄ（病院Ｄは図示せず）が別のグループを構成している場合に、参加者はグループアドレスによって所望のグループを指定してログインできる。また、１つのグループだけでなく、複数のグループにログインしてもよい。
【００２９】
カンファレンス参加者のログインが完了した後の処理を図４に基づいて説明する。図４は、第一実施形態に係わる処理の流れを示すフローチャートである。
【００３０】
図４の処理を開始する状態において、ＤＣＭ１５Ａ、１５Ｂ、１５Ｃの医療情報受信部１５ａは医療情報サーバ装置１２から、医療情報として、例えば患者Ｐの医用画像（胸部画像）を受信し、表示部１５ｃは端末装置１１Ａ、１１Ｂ、１１Ｃの画面に肺野条件の胸部画像を表示している。以下では、表示条件の変更として、胸部画像を参照していた場合に、肺野を表示する肺野条件から縦隔を表示する縦隔条件へ変更する場合について図４の各ステップ順に説明する。
【００３１】
（ステップＳ１）
Ｓ１では、医師Ａは自端末（端末装置１１Ａ）において、胸部画像の表示条件を変更する。設定部１５ｂは、端末装置１１Ａの表示条件を肺野条件から縦隔条件へ変更する（Ｓ１）。
【００３２】
（ステップＳ２）
Ｓ２では、端末装置１１ＡのＤＣＭ１５ＡはＳ１における変更を検出する。表示条件送受信部１５ｄは、ＤＣＭ１５Ｂ（医師Ｂの端末装置１１Ｂ）とＤＣＭ１５Ｃ（医師Ｃの端末装置１１Ｃ）とに変更された表示条件を送信する（Ｓ２）。
【００３３】
（ステップＳ３）
Ｓ３では、端末装置１１Ｂ、１１Ｃの表示条件送受信部１５ｄは、変更後の表示条件を受信する。端末装置１１Ｂ、１１Ｃの設定部１５ｂは、更新後の表示条件に端末装置１１Ｂ、１１Ｃの表示条件を更新する（Ｓ３）。
【００３４】
（ステップＳ４）
Ｓ４では、端末装置１１Ｂ、１１Ｃの表示部１５ｃは、更新後の表示条件に基づいて画面を更新する（Ｓ４）。例えば、表示部１５ｃは、端末装置１１Ｂ、１１Ｃの表示条件を肺野条件から縦隔条件へ変更する。これにより、端末装置１１Ｂ、１１Ｃの表示条件は端末装置１１Ａに同一となり、処理を終了する。
【００３５】
なお、表示条件の変更としては、上記の胸部画像の画像表示の変更のほか、参照診療情報（例えば、所見）や検査情報（例えば、血液検査の情報）の変更でもよい。
【００３６】
本実施の形態により、複数の端末装置１１Ａ、１１Ｂ、１１Ｃのうち、端末装置１１Ａにおいて設定された表示条件が変更されると、表示条件送受信部１５ｄは変更された表示条件を他の端末装置１１Ｂ、１１Ｃに対して送信し、端末装置１１Ｂ、１１Ｃの表示部１５ｃは、受信した変更後の表示条件に基づいて画面を更新する。そのため、複数の端末装置１１Ａ、１１Ｂ、１１Ｃで、表示条件の同一性を保つことができる。
【００３７】
＜第二実施形態＞
本実施形態では、端末装置１１Ａ、１１Ｂ、１１Ｃには、同一患者の医療情報であれば異なる医療情報が表示されてもよく（例えば、端末装置１１Ａは患者Ｐの肺野条件の胸部画像を表示し、端末装置１１Ｂ、１１Ｃは患者Ｐの縦隔条件の胸部画像を表示してもよい）、ＤＣＭ１５Ａ、１５Ｂ、１５Ｃは端末装置１１Ａ、１１Ｂ、１１Ｃにおける参照患者の表示を切り替える変更が行われた場合にのみ、参照患者の切り替えを示す通知を行なう。
【００３８】
以下、図５に基づいて、本実施形態に係わる処理について説明する。図５は、第二実施形態に係わる処理の流れを示すフローチャートである。図５のフローチャートは、医療カンファレンスの参加者（病院Ａの医師Ａ、病院Ｂの医師Ｂ、病院Ｃの医師Ｃ）がカンファレンスシステム１０にログインしている状態からの処理を示す。
【００３９】
（ステップＳ２１）
Ｓ２１では、医師Ａが自端末（端末装置１１Ａ）で参照患者の表示を切り替える。端末装置１１Ａの設定部１５ｂは、表示条件として患者識別情報を設定し、例えば、患者Ｐの医療情報から患者Ｑの医療情報へ表示条件を切り替える（Ｓ２１）。
【００４０】
医療情報は、患者を識別するための患者識別情報と関連付けてサーバ装置１２に格納されている。端末装置１１Ａの医療情報取得部１５ａは、サーバ装置１２に患者Ｑの医療情報を要求する。サーバ装置１２の参照情報送信部１６ｂは医療情報データベース１２ａから患者Ｑの医療情報を送信する。
【００４１】
（ステップＳ２２）
Ｓ２２乃至Ｓ２４では、Ｓ２乃至Ｓ４と同様に、端末装置１１Ａの表示条件送受信部１５ｄは、患者Ｐから患者Ｑへ参照患者を切り替えたことを検出し、端末装置１１Ｂ、１１Ｃに通知する（Ｓ２２）。
【００４２】
（ステップＳ２３）
Ｓ２３では、端末装置１１Ｂ、１１Ｃの表示条件送受信部１５ｄは、変更後の表示条件を受信する。端末装置１１Ｂ、１１Ｃの設定部１５ｂは、端末装置１１Ｂ、１１Ｃの表示条件を変更後の表示条件に更新する（Ｓ２３）。例えば、端末装置１１Ｂ、１１Ｃの設定部１５ｂは、患者Ｑの患者識別情報に表示条件を設定する。
【００４３】
（ステップＳ２４）
Ｓ２４では、Ｓ４と同様に、端末装置１１Ｂ、１１Ｃの表示部１５ｃは、設定された患者識別情報に関連づけられた任意の医療情報（例えば、患者Ｑの医療情報）を表示する（Ｓ２４）。これにより、端末装置１１Ａ、１１Ｂ、１１Ｃには、患者Ｑの医療情報が表示される。また、表示される医療情報は、同一患者のものであれば、異なる医療情報が表示されてもよい。例えば画像や検査に関する情報が表示されてよい。
【００４４】
本実施の形態により、設定部１５ｂは、表示条件として患者識別情報を設定し、表示部１５ｃは患者識別情報に関連づけられた任意の医療情報を表示する。そのため、医療情報を参照する際の自由度をあげつつ、同一患者の医療情報が画面に表示されることが保証される。
【００４５】
＜第三実施形態＞
本実施形態では、広域ネットワーク１３には、端末装置１１Ａ、１１Ｂ、１１Ｃを操作して医療情報に基づく医療カンファレンスを行う参加者（カンファレンスシステム１０にログインする）を認証するための認証サーバ装置１７が更に接続される。カンファレンス参加者（医師Ａ、Ｂ、Ｃなど）は、端末装置１１Ａ、Ｂ、Ｃ上でカンファレンス参加者を識別するための参加者識別情報を利用する。
【００４６】
以下、図６に基づいて、第三実施形態に係わる処理について説明する。図６は、第三実施形態に係わる処理の流れを示すフローチャートである。以下では、病院Ａ、Ｂ、Ｃが１つのカンファレンス領域を形成しており、医師Ａが端末装置１１Ａを介してカンファレンスシステム１０にログインする場合について説明する。
【００４７】
（ステップＳ３１）
Ｓ３１では、医師Ａは入力部１５ｅを介して、医師Ａを識別するための参加者識別情報と所望のカンファレンス領域を指定する情報と入力し、認証部１５ｆは参加者識別情報と所望のカンファレンス領域を指定する情報とを認証サーバ装置１７に送信する（Ｓ３２）。参加者識別情報は、例えばＩＣカード、ログイン名、パスワードなどである。また、参加者識別情報は認証サーバ装置１７のデータベースなどに予め登録される。
【００４８】
（ステップＳ３２）
Ｓ３２では、認証部１５ｆは、認証サーバ装置１７による認証結果を受信する（Ｓ３２）。具体的には、医師Ａの識別情報を用いてＤＣＭ１５Ａの表示制御処理の適用を受けられるようになる。医師Ａは認証サーバ装置１７によって認証が得られない場合には、カンファレンスシステム１０にアクセスできない。
【００４９】
（ステップＳ３３）
Ｓ３３では、端末装置１１Ａの認証部１５ｆは端末装置１１Ｂ、１１Ｃに、端末装置１１Ａがカンファレンスシステム１０にログインしたことを示す登録通知を発行する（Ｓ３３）。
【００５０】
（ステップＳ３４）
Ｓ３４では、端末装置１１Ｂ、１１Ｃの認証部１５ｆは、認証されたカンファレンス参加者が操作する新規の端末装置（医師Ａの操作する端末装置１１Ａ）を表示条件の通知先として新規登録し（Ｓ３４）、処理を終了する。
【００５１】
本実施の形態により、認証サーバ装置１７の認証結果を用いてカンファレンス領域にログインするカンファレンス参加者の認証を行うので、セキュリティを担保できる。これにより、認証を得たカンファレンス参加者が操作する端末装置１１Ａ、１１Ｂ、１１Ｃにおいてカンファレンスシステム１０が適用され、表示条件の同一性を保つことができる。
【００５２】
なお、認証サーバ装置１７は、データセンターに備えられるほか、端末装置１１Ａ、１１Ｂ、１１Ｃ毎に備えられてもよいし、病院Ａ、Ｂ、Ｃ毎に備えられてもよい。
【００５３】
＜第四実施形態＞
本実施形態では、端末装置または医療情報サーバ装置は患者識別情報変換装置（以下、変換装置という）を備える。変換装置は、他の施設に設置された端末装置から受信した患者識別情報（以下、患者ＩＤという）を、受信した端末装置又は医療情報サーバ装置が設置された施設において付与された患者ＩＤに変換する。
【００５４】
以下、図７に基づいて第四実施形態に係わるカンファレンスシステム１０の構成を示す。図７は、第四実施形態に係わるカンファレンスシステム１０の構成を示すブロック図である。    
【００５５】
図７では、病院Ａと病院Ｂとは、広域ネットワーク１３を介して接続されている。病院Ａは、端末装置１１Ａ、ＤＣＭ１５Ａ、変換装置１８Ａ、医療情報サーバ装置１２Ａ、及びＳＣＭ１６Ａを備える。病院Ｂは、端末装置１１Ｂ、ＤＣＭ１５Ｂ、変換装置１８Ｂ、医療情報サーバ装置１２Ｂ、及びＳＣＭ１６Ｂを備える。
【００５６】
病院Ａ、Ｂは、施設毎に異なる患者ＩＤ（例えば診察券番号など）を同一患者に対して付与する。以下、患者Ｐの病院Ａにおける患者ＩＤは「１２３４５」であり、病院Ｂにおける患者ＩＤは「ＡＢＣＤＥ」である場合を例として説明する。
【００５７】
医療情報サーバ装置１２Ａ、１２Ｂは、患者ＩＤ（医療情報サーバ装置１２Ａ、１２Ｂが設置された病院において付与された患者ＩＤ）に関連付けて医療情報、患者氏名、年齢、住所、などを格納する。医療情報サーバ装置１２Ａ、１２Ｂが固有に有するＩＤ情報（どの施設のどの患者がどのＩＤで管理されているか）は、適時、変換装置１８Ａ,１８Ｂに送信される。
【００５８】
端末装置１１Ａは、病院Ａが患者Ｐに対して付与した患者ＩＤ：１２３４５を端末装置１１Ｂに送信する。端末装置１１Ｂは、患者ＩＤ：１２３４５を受信する。また、変換装置１８Ｂは、患者氏名、生年月日、年齢、住所、性別等の情報に基づいて患者Ｐを特定することにより、患者ＩＤ：１２３４５を患者ＩＤ：ＡＢＣＤＥに変換する。
【００５９】
図８は、変換装置１８による患者ＩＤ変換の処理の概略を示す図である。図８では、説明の都合上、変換装置１８Ａ、１８Ｂをまとめて変換装置１８として記載した。変換装置１８は以下に示す処理を行なう。
【００６０】
Ａ病院にて患者Ｐの患者ＩＤ：１２３４５が変換装置１８に登録される（Ｓ８１）。一方、Ｂ病院にて患者Ｐの患者ＩＤ：ＡＢＣＤＥが変換装置１８に登録される（Ｓ８２）。Ｂ病院にて、Ａ病院における患者ＩＤ：１２３４５に相当する患者Ｐについての検索が行われると（Ｓ８３）、変換装置１８は患者Ｐの病院Ｂにおける患者ＩＤ：ＡＢＣＤＥを示す（Ｓ８４）。
【００６１】
図９は、変換装置１８の処理の流れを示すシーケンス図である。Ａ病院の端末装置１１Ａには、患者ＩＤデータベース（Patient Identity Source）１９が格納されている。Ｂ病院の端末装置１１Ｂには、患者ＩＤデータベース（Patient Identity Source）２０、その他の医療情報データベース（Information Source）２１が格納されている。患者ＩＤデータベース（Patient Identity Source）１９及び２０には、患者ＩＤ情報が登録されている。医療情報データベース（Information Source）２１には、患者ＩＤに対応付けられた医療画像情報や電子カルテ情報などが格納されている。
【００６２】
変換装置１８は、複数のデータベース（患者ＩＤデータベース１９、２０、医療情報データベース２１）に対して相互関連した処理を行なう。以下では、Ａ病院からＢ病院に対して患者Ｐに関する医療情報の検索を行なう場合について説明する。
【００６３】
Ａ病院の患者ＩＤデータベース１９は、患者ＩＤ：１２３４５として登録されている患者ＰのＩＤ登録を変換装置１８に送信する（Ｓ９０１）。情報変換装置１８は、患者Ｐを患者ＩＤ：１２３４５としてＩＤ登録する（Ｓ９０２）。Ａ病院の患者ＩＤデータベース１９は、端末装置１１Ａの表示手段（Display）１９ａに患者Ｐの患者ＩＤ：１２３４５を通知し、表示させる（Ｓ９０３）。
【００６４】
Ｂ病院の患者ＩＤデータベース２０は、患者ＩＤ：ＡＢＣＤＥとして登録されている患者ＰのＩＤ登録を変換装置１８に送信する（Ｓ９０４）。また、患者ＩＤデータベース２０は、医療情報データベース２１に患者Ｐの患者ＩＤ：ＡＢＣＤＥを通知する（Ｓ９０５）。変換装置１８は、患者Ｐを患者ＩＤ：ＡＢＣＤＥとしてＩＤ登録する（Ｓ９０６）。
【００６５】
端末装置１１Ａが、病院Ｂの医療情報データベース２１に患者Ｐ（１２３４５）に関する情報検索を要求する（Ｓ９０７）と、医療情報データベース２１は、変換装置１８に患者Ｐ（１２３４５）の患者ＩＤに関する問い合わせをする（Ｓ９０８）。変換装置１８は、患者Ｐの医療情報データベース２１における患者ＩＤ：ＡＢＣＤＥを医療情報データベース２１に応答する（Ｓ９０９）。
【００６６】
医療情報データベース２１は、患者Ｐ（ＡＢＣＤＥ）に関する情報検索を行なう（Ｓ９１０）。医療情報データベース２１は情報検索した結果を端末装置１１Ａに応答し、表示手段（Display）１９ａは結果を表示する（Ｓ９１１）。
【００６７】
本実施の形態により、医療情報サーバ装置１２は同一施設内に備えられる必要はなく、患者ＩＤなどの医療情報の同一化の手間を省くことができる。同一患者に対して施設毎に複数の患者ＩＤが付与され他の施設から患者ＩＤが送信された場合に、変換装置１８は送信元の施設の患者ＩＤを、受信先の施設の患者ＩＤに変換することができる。
【００６８】
なお、変換装置１８は端末装置１１Ａ、１１Ｂ毎に備えられてもよいし、病院Ａ、Ｂ毎に備えられてもよい。また、上記では、病院Ａ、Ｂ毎に同一患者に対して異なる患者ＩＤが付与されたが、同一病院内において異なる診療科毎に、同一患者に対して異なる患者識別情報が付与されてもよい。
【００６９】
＜第五実施形態＞
本実施形態では、端末装置１１Ａ、１１Ｂ、１１Ｃは、設定された表示条件が変更された場合に、変更後の表示条件に基づいて画面が更新されることを禁止する更新禁止部１５ｇを更に備える。
【００７０】
以下、図１０に基づいて本実施形態に係わる処理について説明する。図１０は、本実施形態に係わる処理の流れを示すフローチャートである。
【００７１】
以下では、例えば、医師Ａが医療カンファレンス対象の患者の電子カルテに所見を書き込む操作を行う場合などに、端末装置１１Ａの表示条件の更新が禁止される場合について説明する。
【００７２】
（ステップＳ４１）
Ｓ４１では、医師Ａが画面操作として、所定の患者の電子カルテに所見の書込み操作を行う（Ｓ４１）。
【００７３】
（ステップＳ４２）
Ｓ４２では、端末装置１１Ａの設定部１５ｂが画面操作を検出する。端末装置１１Ａの更新禁止部１５ｇは表示条件を維持するために、表示条件の更新の禁止を端末装置１１Ｂ、１１Ｃに通知する（Ｓ４２）。端末装置１１Ｂ、１１Ｃの表示条件送受信部１５ｄは、更新禁止の通知を受信する。このとき、端末装置１１Ａは、表示条件の更新が禁止された状態、すなわち更新禁止状態となる。
【００７４】
上記では、更新禁止部１５ｇは更新禁止状態を端末装置１１Ｂ、１１Ｃに同胞通知したが、端末装置１１Ｂ、１１Ｃの表示条件送受信部１５ｄから表示条件の変更を受信した場合にのみ更新禁止を通知してもよい。この場合、更新禁止部１５ｇは更新禁止状態の同胞通知を行なう必要がない。
【００７５】
（ステップＳ４３）
Ｓ４３では、端末装置１１Ｂ、１１Ｃの表示条件送受信部１５は、表示条件の送信を中止あるいは保留し（Ｓ４３）、処理を終了する。
【００７６】
なお、更新禁止状態における表示条件の変更処理については、いくつかの変形例が考えられる。端末装置１１Ａは変更禁止状態において、端末装置１１Ｂ、１１Ｃからの表示条件の受信を無視してもよいし、表示条件の受信を保留してもよい。表示条件の受信を保留した場合には、変更禁止状態が解除されたときに、保留された表示条件を受信してもよい。また、変更禁止状態が解除されたときに、保留された表示条件を受信し、表示条件の変更を行なうか否かを医師Ａに確認してもよい。
【００７７】
また、上記では、画面操作を行なった場合に更新禁止部１５ｇにより自動的に端末装置１１Ａを更新禁止状態としたが、画面上にロックボタンなどを設置し、医師Ａがロックボタンを操作することにより、手動で任意の場合（例えば、画面を閲覧しているとき）においても、端末装置１１Ａを更新禁止状態にさせてもよい。
【００７８】
本実施形態により、更新禁止部１５ｇが他の端末装置１１Ａ、Ｂ、Ｃに更新禁止状態を通知するので、操作者（例えば医師Ａ）の予期しない表示条件の更新を禁止できる。
【００７９】
なお、上記実施形態では、端末装置１１Ａ、１１Ｂ、１１Ｃは、ＳＣＭ１６を介して医療情報サーバ装置１２から医療情報を取得したが、端末装置１１Ａ、１１Ｂ、１１Ｃ同士で医療情報を取得してもよい
＜第六実施形態＞
本実施形態では、複数の端末装置と、複数の端末装置の表示画面に同一の表示条件に基づいて参照情報を表示させるための表示制御サーバ装置とがネットワークに接続される。以下、図１１に基づいて、本実施形態に係わるカンファレンスシステム１０の構成を説明する。図１１は、カンファレンスシステム１０の構成を示すブロック図である。
【００８０】
カンファレンスシステム１０は、ＤＣＭ１５Ｄが備えられる端末装置１１Ｅ、１１Ｆ、１１Ｇ、１１ＨとＳＣＭ３０Ａが備えられる表示制御サーバ装置３０とから構成される。端末装置１１Ｅ、１１Ｆ、１１Ｇ、１１Ｈと表示制御サーバ装置３０とは、病院Ａの院内ＬＡＮ１３ｂを介して接続される。また、表示制御サーバ装置３０は、病院Ａの外部の広域ネットワーク１３に接続する。
【００８１】
図１２（ａ）は、端末装置１１Ｅ、１１Ｆ、１１Ｇ、１１Ｈが実行するプログラムであるＤＣＭ１５Ｄの構成を示すブロック図である。ＤＣＭ１５Ｄは、表示制御サーバ装置３０から表示条件を受信する表示条件受信部１５ｈと、表示条件に基づいて医療情報を画面上に表示する表示部１５ｉと、表示条件の変更要求情報を表示制御サーバ装置３０に対して送信する変更要求送信部１５ｊと、から構成される。
【００８２】
図１２（ｂ）は、表示制御サーバ装置３０が実行するプログラムであるＳＣＭ３０Ａの構成を示すブロック図である。ＳＣＭ３０Ａは、表示制御サーバ装置３０によって表示制御される端末装置１１Ｅ、１１Ｆ、１１Ｇ、１１Ｈを管理する端末管理部３０ａと、表示条件を設定する設定部３０ｂと、端末装置１１Ｅ、１１Ｆ、１１Ｇ、１１Ｈからの変更要求情報を受信する変更要求受信部３０ｃと、表示条件を端末装置１１Ｅ、１１Ｆ、１１Ｇ、１１Ｈに対して送信する表示条件送信部３０ｄと、から構成される。
【００８３】
以下、カンファレンスシステム１０の動作について説明する。端末管理部３０ａは、院内ＬＡＮ１３ｂに接続された端末装置のうち、表示制御サーバ装置３０が表示制御する端末装置（例えば、端末装置１１Ｅ、１１Ｆ、１１Ｇ、１１Ｈ）を設定する。変更要求受信部３０ｃは、例えば端末装置１１Ｅの変更要求送信部１５ｊから画面の表示条件の変更を要求する変更要求情報を受信する。なお、ここでいう「変更要求情報」には、初期設定における表示条件の設定要求を含む。
【００８４】
設定部３０ｂは、受信した変更要求情報に基づいて表示条件を変更する。表示条件送信部３０ｄは、変更後の表示条件を端末装置１１Ｅ、１１Ｆ、１１Ｇ、１１Ｈに対して送信する。端末装置１１Ｅ、１１Ｆ、１１Ｇ、１１Ｈの表示条件受信部１５ｈは変更後の表示条件を受信し、表示部１５Iは受信した変更後の表示条件に基づいて画面を更新する。
【００８５】
これにより、表示制御サーバ装置３０は、病院Ａ内の端末装置を集中して表示制御できる。したがって、病院Ａ内の医療情報の同一化処理が不要となり通信負荷も軽減され、同一施設における集中制御が可能となる。施設内の複数の場所で情報を参照する際に、通信負荷の軽いシステムを構築でき、通信の応答性に効果がある。
【００８６】
なお、病院Ａの全ての端末装置を同一の表示制御サーバ装置３０で管理するほか、部分的に複数の端末装置を管理する表示制御サーバ装置３０を複数実装してもよい。
【００８７】
また、上記実施形態では、本発明を医療カンファレンスシステムに適用した例について説明したが、医療応用に限らず、遠隔地会議などで同一の表示条件で参照情報を表示する必要があるシステムへの応用も可能である。例えば地理的に離れた場所で特定の画像（写真）を見ながら議論をしたり、同一の文書を参照しながら議論をしたりするケースに本発明を適用できる。
【図面の簡単な説明】
【００８８】
【図１】表示制御システムの構成を示す概念図
【図２】表示制御システムの構成を示すブロック図
【図３】端末装置及びサーバ装置が実行するプログラムの構成を示すブロック図
【図４】第一実施形態に係わる処理の流れを示すフローチャート
【図５】第二実施形態に係わる処理の流れを示すフローチャート
【図６】第三実施形態に係わる処理の流れを示すフローチャート
【図７】第四実施形態に係わる医療カンファレンスシステムの構成を示すブロック図
【図８】変換装置の機能を説明する図
【図９】変換装置の処理の流れを示すシーケンス図
【図１０】第五実施形態に係わる処理の流れを示すフローチャート
【図１１】第六実施形態に係わる医療カンファレンスシステムの構成を示すブロック図
【図１２】端末装置及びサーバ装置が実行するプログラムの構成を示すブロック図
【符号の説明】
【００８９】
１０…表示制御システム、１１Ａ、１１Ｂ、１１Ｃ…端末装置、１２…医療情報サーバ装置、１３…広域ネットワーク、１３ｂ…院内ＬＡＮ、１４…データセンター、１５Ａ、１５Ｂ、１５Ｃ…コンテキストマネージャ（ＤＳＭ）、１６…サーバサイド制御装置（ＳＣＭ）、１７…認証サーバ装置
【図１】
2007122648.tif 000003
【図２】
2007122648.tif 000004
【図３】
2007122648.tif 000005
【図４】
2007122648.tif 000006
【図５】
2007122648.tif 000007
【図６】
2007122648.tif 000008
【図７】
2007122648.tif 000009
【図８】
2007122648.tif 000010
【図９】
2007122648.tif 000011
【図１０】
2007122648.tif 000012
【図１１】
2007122648.tif 000013
【図１２】
2007122648.tif 000014